(57)【要約】イメージ情報（３ａ、３ｂ、３ｃ）中の符号（６）の位置を示す符号領域を符号位置情報として取込むイメージ情報符号取込手順（７）と、符号位置情報と文章情報（２）中の符号（６）とを関連付け、イメージ情報（３ａ、３ｂ、３ｃ）および文章情報（２）のいずれか一方の符号（６）が指定されたとき少なくとも他方の符号（６）を読込んでコンピュータの画面上で強調表示させる強調表示手順（８）とをコンピュータに実行させ、電子化文書（１）を構成するイメージ情報（３ａ、３ｂ、３ｃ）と文章情報（２）との対応付けを、コンピュータの画面上で容易に行えるようにする。
2004061715.tif 000002
【特許請求の範囲】
【請求項１】
互いに補完し合う少なくとも一つのイメージ情報（３ａ，３ｂ，３ｃ）と文章情報（２）とを有し、イメージ情報（３ａ，３ｂ，３ｃ）中の複数種類の特定箇所（５）および文章情報（２）中の複数種類の特定語句（４）に相互を対応付けるための共通の符号（６）を付した電子化文書（１）において、イメージ情報（３ａ，３ｂ，３ｃ）中の符号（６）の位置を示す符号領域を符号位置情報として取込むイメージ情報符号取込手順（７）と、符号位置情報と文章情報（２）中の符号（６）とを関連付け、イメージ情報（３ａ，３ｂ，３ｃ）および文章情報（２）のいずれか一方の符号（６）が指定されたとき、それら一方および他方の符号（６）のうち少なくとも他方の符号（６）を読込んでコンピュータの画面上で強調表示させる強調表示手順（８）とを、コンピュータに実行させることを特徴とする電子化文書の編集プログラム。
【請求項２】
互いに補完し合う少なくとも一つのイメージ情報（３ａ，３ｂ，３ｃ）と文章情報（２）とを有し、イメージ情報（３ａ，３ｂ，３ｃ）中の複数種類の特定箇所（５）および文章情報（２）中の複数種類の特定語句（４）に相互を対応付けるための共通の符号（６）を付した電子化文書（１）において、イメージ情報（３ａ，３ｂ，３ｃ）中の符号（６）の位置を示す符号領域を符号位置情報として取込むイメージ情報符号取込手順（７）と、文章情報（２）中の特定語句（４）を特定語句情報として取込む特定語句取込手順（９）と、イメージ情報符号取込手順（７）で取込まれた符号位置情報と特定語句取込手順（９）で取込まれた特定語句情報（２）とを関連付け、イメージ情報（３ａ，３ｂ，３ｃ）中の符号（６）および文章情報（２）中の特定語句（４）のいずれか一方が指定されたとき、それら一方および他方のうち少なくとも他方を読込んでコンピュータの画面上で強調表示させる強調表示手順（１８）とを、コンピュータに実行させることを特徴とする電子化文書の編集プログラム。
【請求項３】
互いに補完し合う少なくとも一つのイメージ情報（３ａ，３ｂ，３ｃ）と文章情報（２）とを有し、イメージ情報（３ａ，３ｂ，３ｃ）中の複数種類の特定箇所（５）および文章情報（２）中の複数種類の特定語句（４）に相互を対応付けるための共通の符号（６）を付した電子化文書（１）において、イメージ情報（３ａ，３ｂ，３ｃ）中の符号（６）の位置を示す符号領域を符号位置情報として取込むイメージ情報符号取込手順（７）と、文章情報（２）中の特定語句（４）を特定語句情報として取込む特定語句取込手順（１０）と、符号位置情報と特定語句情報（２）とを関連付けるとともに、符号（６）と特定語句（４）との対応関係を示す表（３０）をコンピュータの画面上で表示しし、表（３０）中の符号（６）および特定語句（４）のいずれか一方が指定されたとき、それと対応するイメージ情報（３ａ，３ｂ，３ｃ）中の符号（６）と文章情報（２）中の符号（６）および特定語句（４）とを読込んでコンピュータの画面上で強調表示させる強調表示手順（２８）とを、  コンピュータに実行させることを特徴とする電子化文書の編集プログラム。
【発明の詳細な説明】
【技術分野】    本発明は、互いに補完し合う文章情報とイメージ情報とを備えた電子化文書を画面上に表示した際、文章情報中の語句とイメージ情報である図面や写真中の記載箇所とを、画面上で容易に対応付けできる形に編集する電子化文書の編集プログラムに関する。
【背景技術】    例えば図面や写真を用いて技術内容を説明する技術文書を電子化文書として作成する場合、説明文は文章情報、図面や写真はイメージ情報として作成することが多い。そしてコンピュータの画面を２つの領域に分けて一方の領域に説明文、他方に図面や写真を表示させると、図面や写真を参照しながら説明文を読むことができる。
ところが図面や写真が複雑な場合、図面や写真の中から、説明文中の特定語句が指している箇所（特定箇所）をコンピュータの画面上で探すのは困難である。このような場合、図面や写真中の特定箇所から外方に引出線を引出して符号を付し、説明文中の特定語句にも共通の符号を付しておき、共通の符号を頼りに、説明文中の特定語句が図面や写真中のどの箇所を指しているのか探し易くして、文章情報とイメージ情報とを画面上で容易に対応付けることができるようにし、画面上で技術内容を容易に理解させることができるようにしている。
しかしながら、図面や写真中があまりに複雑であったり、多くの引出線や符号が過密に付されていると、コンピュータの画面上で説明文を読みながら図面や写真の中から該当する符号を探し出すこと自体困難であり、せっかく付した符号が、説明文中の特定語句と図面や写真中の特定箇所とを対応付ける役割を果たせない。
特許に関する電子化文書がその良い例である。特許公報等で見られる特許情報では、一般に、文章情報である明細書とイメージ情報である図面とをコンピュータの画面上に表示し、図面を参照しながら明細書を読んで理解し易いようにしているが、複雑な機構を示す図面では引出線や符号も多くなるので、明細書に出てくる符号を複雑な図面中の多くの符号の中から探し出すのが困難なことがある。
そこで、図面や写真が複雑であったり、図面や写真にたくさんの引出線や符号が付された電子化文書では、それらの図面や写真をいったん印刷して紙情報とし、場合によっては更に拡大コピーして、その上に書込みをしたり色分けをして、説明文と図面や写真とを対応付けるといったことが、しばしば行われている。
このように、図面や写真として表わされるイメージ情報が複雑であったり、たくさんの符号が過密に付されている場合には、せっかくの電子化情報を、わざわざ紙情報にして使用するといった無駄が現実にはしばしば行なわれているのである。
特開２００２−２４２５４号公報には、紙面上に表わされた情報を電子化して管理する、次のような情報蓄積システムが開示されている。すなわち、紙面上のイメージ情報をイメージ情報取込手段で取り込み、イメージ情報内の文字に関連付けられた文章情報を文章情報入力手段で入力し、また、文字読取手段でイメージ情報内の文字を読取り、記憶手段に、文字読取手段で読取られた文字および文章情報相互の変換を行なう変換テーブルを備えておくというものである。
この技術によれば、組立図面や部品リスト等が紙面上の情報として存在する場合でも、組立図面と部品リストとを関連付けて管理できる。しかしながら、この技術は紙情報を電子化情報として管理するための一手法にすぎず、前述のような、図面や写真等のイメージ情報と文章情報とをコンピュータの画面上に同時に表示して、イメージ情報を参照しながら文章情報を読む際に、図面や写真が複雑であったり、図面や写真にたくさんの引出線や符号が付されている場合でも、文章情報とイメージ情報との対応付けが容易に行なえるようにするための解決策とはなり得ない。
また特開２００２−２５１２７９号公報には、コミックコンテンツを見やすく表示する次のようなコンテンツ配信システムが開示されている。これは、表示画面をイメージ表示エリアとセリフ表示エリアに分割し、セリフ表示エリアに表示されているセリフに対応する吹き出しエリアを強調表示するものである。
ところが、セリフ表示エリアにはセリフ表示エリアに存在する複数の吹き出しエリアの中の一つに対応するセリフが表示され、セリフに対応する吹き出しエリアを強調表示するだけであるから、電子化された特許文書のような、明細書の中の多くの特定語句と図面中の多くの符号との対応付けを容易に行えるようにするための解決策とはなり得ない。
さらに特開平８−３３９３８０号公報には、特許明細書の文章と、その文章に対応する図面とが離れて存在するような場合でも、文章中の図面番号をカーソル等で指定することにより該当する図面をコンピュータの画面上に表示させる技術が開示されている。
ところが、コンピュータの画面上に表示された図面の中から、文章情報中の特定語句に対応する特定箇所を探す面倒は依然として解消されないので、文章情報とイメージ情報との対応付けを容易に行なえるようにするための解決策とはなり得ない。
本発明は、このような問題を解決するためになされたもので、電子化文書を構成する文章情報とイメージ情報とをコンピュータの画面上で対応付けし易い形に編集し、電子化文書をそのまま画面上で見て理解し易いようにする電子化文書の編集プログラムを提供することを目的とする。
【発明の開示】
本発明の編集プログラムの編集対象は、互いに補完し合う少なくとも一つのイメージ情報と文章情報とを備え、イメージ情報中の複数種類の特定箇所および文章情報中の複数種類の特定語句に相互を対応付けるための共通の符号を付した電子化文書である。
第１の発明では、イメージ情報符号取込手順と強調表示手順とをコンピュータに実行させる。
イメージ情報符号取込手順では、イメージ情報中の符号の位置を示す符号領域を符号位置情報として取込む。
強調表示手順では符号位置情報と文章情報中の符号とを関連付け、イメージ情報および文章情報のいずれか一方の符号が指定されたとき、それら一方および他方の符号のうち少なくとも他方の符号を読込んでコンピュータの画面上で強調表示させる。
また第２の発明では、イメージ情報符号取込手順と、特定語句取込手順と、強調表示手順とを、コンピュータに実行させる。
イメージ情報符号取込手順では、イメージ情報中の符号の位置を示す符号領域を符号位置情報として取込む。
特定語句取込手順では、文章情報中の特定語句を特定語句情報として取込む。
強調表示手順では符号位置情報と特定語句情報とを関連付け、イメージ情報中の符号および文章情報中の特定語句のいずれか一方が指定されたとき、それら一方および他方のうち少なくとも他方を読込んでコンピュータの画面上で強調表示させる。
第３の発明では、イメージ情報符号取込手順と、特定語句取込手順と、強調表示手順とを、コンピュータに実行させる。
イメージ情報符号取込手順では、イメージ情報中の符号の位置を示す符号領域を符号位置情報として取込む。
特定語句取込手順では、文章情報中の特定語句を特定語句情報として取込む。
強調表示手順では、符号位置情報と特定語句情報とを関連付けるとともに、符号と特定語句との対応関係を示す表をコンピュータの画面上で表示し、その表中の符号および特定語句のいずれか一方が指定されたとき、それと対応するイメージ情報中の符号と文章情報中の符号および特定語句とを読込んでコンピュータの画面上で強調表示させる。
【図面の簡単な説明】    第１図は、本発明の編集対象となる電子化文書の概念図である。
第２図は、第１の発明における電子化文書の編集プログラムを示す概略構成図である。
第３図は、同編集プログラムのイメージ情報符号取込手順を示す動作説明図である。
第４図は、同編集プログラムの強調表示手順を示す動作説明図である。
第５図は、同編集プログラムにおいて文章情報中の任意の符号を指定したときの表示状態を示す説明図である。
第６図は、同編集プログラムにおいて文章情報中の任意の符号を指定したときの別の表示状態を示す説明図である。
第７図は、同編集プログラムにおいてイメージ情報中の任意の符号を指定したときの表示状態を示す説明図である。
第８図は、同編集プログラムにおいてイメージ情報中の任意の符号を指定したときの別の表示状態を示す説明図である。
第９図は、第２の発明における電子化文書の編集プログラムを示す概略構成図である。
第１０図は、同編集プログラムの特定語句取込手順を示す動作説明図である。
第１１図は、同編集プログラムの強調表示手順を示す動作説明図である。
第１２図は、同編集プログラムにおいて文章情報中の任意の特定語句を指定したときの表示状態を示す説明図である。
第１３図は、同編集プログラムにおいて文章情報中の任意の特定語句を指定したときの別の表示状態を示す説明図である。
第１４図は、同編集プログラムにおいてイメージ情報中の任意の符号を指定したときの表示状態を示す説明図である。
第１５図は、同編集プログラムにおいてイメージ情報中の任意の符号を指定したときの別の表示状態を示す説明図である。
第１６図は、第３の発明における電子化文書の編集プログラムを示す概略構成図である。
第１７図は、同編集プログラムの強調表示手順を示す動作説明図である。
第１８図は、同編集プログラムにおいて表中の任意の符号を指定したときの表示状態を示す説明図である。
第１９図は、同編集プログラムにおいて表中の任意の特定語句を指定したときの表示状態を示す説明図である。
【発明を実施するための最良の形態】    本発明をより詳細に説述するために、添付の図面に従ってこれを説明する。第１図は本発明の編集プログラムの編集対象となる電子化文書１を概念的に示すものである。電子化文書１は、互いに補完し合う文章情報２と少なくとも一つ（第１図の例では３つ）のイメージ情報３ａ、３ｂ、３ｃとを備えている。例えば電子化文書１を電子化された特許公報とすると、文章情報２は明細書に相当し、イメージ情報３ａ、３ｂ、３ｃは図面に相当する。文章情報２中の一部の語句（以下、「特定語句４」という）およびイメージ情報３ａ、３ｂ、３ｃ中の一部の箇所（以下、「特定箇所５」という）には、相互を対応付けるための共通の符号６が付されている。第１図中「○○○」、「×××」、「△△△」は、文章情報２が日本語であれば漢字、ひらがな、カタカナ等となり、英語であればアルファベットとなる。
文章情報２中の特定語句４もイメージ情報３ａ、３ｂ、３ｃ中の特定箇所５もそれぞれ複数種類あり、符号６としては「Ａ、Ｂ、Ｃ」、「１、２、３」等の文字や数字、あるいは記号等が用いられる。
第２図は第１の発明における電子化文書の編集プログラムを示す概略構成図である。この編集プログラムは、イメージ情報符号取込手順７と強調表示手順８とを、コンピュータの制御部（ＣＰＵ）９に実行させる構成となっている。
イメージ情報符号取込手順７は、第３図の如く、ＯＣＲ認識により、イメージ情報３ａ、３ｂ、３ｃ中に存在する複数種類（Ａ、Ｂ、Ｃ等）の符号６と、その符号６が記載されている符号領域とを符号位置情報として取込み、イメージ情報符号テーブルを作成する。一つのイメージ情報中に同一の符号６が複数存在するときは、それぞれの符号６の符号領域（符号領域１、符号領域２等）を符号位置情報として取込む。
強調表示手順８は、第４図の如く、イメージ情報符号テーブルに取込まれた符号位置情報と文章情報２中の符号６とを関連付け、文章情報２中のいずれかの符号６（たとえばＢ）が指定されたとき、イメージ情報符号テーブルの中からＢなる符号６が存在するイメージ情報３ｂをコンピュータの画面上に表示する。Ｂなる符号６が複数のイメージ情報３ｂ、３ｃに存在するときは、最初に、至近位置にあるイメージ情報３ｂを画面上に表示する。同時に、イメージ情報３ｂ中のＢなる符号６が記載されている符号領域をイメージ情報符号テーブルから検索し、その符号領域に存在するＢなる符号をコンピュータの画面上で強調表示する（第５図参照）。そしてその状態で、イメージ情報３ｂ中の、符号領域外のエリアでクリックする度に、Ｂなる符号が存在する別のイメージ情報３ｃを順次コンピュータの画面上に切換表示するとともに、イメージ情報３ｃ中のＢなる符号の符号領域を検索し、Ｂなる符号をコンピュータの画面上で強調表示する。
なお、強調表示手順８は、文章情報２中の符号６が指定されたとき、指定された文章情報２中の符号６とイメージ情報３ｂ、３ｃ中の符号６とを同時に強調表示するようにしてもよい（第６図参照）。
強調表示手順８は更に、イメージ情報３ｂまたはイメージ情報３ｃ中の任意の符号６（たとえばＢ）が指定されたとき、イメージ情報符号テーブルの中から指定された符号６の符号領域を検索し、文章情報２中の該当する符号６をコンピュータの画面上で強調表示する（第７図参照）。
なお、強調表示手順８は、イメージ情報３ｂ中の符号６が指定されたとき、指定されたイメージ情報３ｂ中の符号６と文章情報２中の符号６とを同時に強調表示するようにしてもよい（第８図参照）。
符号６を指定する方法としては、マウスポインタを画面上の該当位置に置いたり、あるいはマウスポインタを該当位置に置いた状態でマウスをクリックする等、手動で指定しても良いし、音声出力装置を用いて文章情報２中の符号６を音声で読み上げる等、自動的な方法で指定しても良い。
また符号６を強調表示する方法としては、該当する符号６を点滅させたり、該当する符号６のみを他と異なる色で表示したり、反転表示したり、拡大表示したり、丸で囲む等、視角に訴えて目立たせることができれば、どのような方法であってもよい。
図９は第２の発明における電子化文書の編集プログラムを示す概略構成図である。この編集プログラムは、イメージ情報符号取込手順７と、特定語句取込手順１０と、強調表示手順１８とを、コンピュータの制御部（ＣＰＵ）１９に実行させる。
イメージ情報符号取込手順７は第１の発明と同様（第３図参照）で、ＯＣＲ認識により、イメージ情報３ａ、３ｂ、３ｃ中に存在する複数種類の符号６と、各符号６が記載されている符号領域とを符号位置情報として取込み、イメージ情報符号テーブルを作成する。一つのイメージ情報中に同一の符号６が複数存在するときは、それぞれの符号６の符号領域を符号位置情報として取込む。
特定語句取込手順１０は、第１０図の如く、文章情報２中の符号６と特定語句４とを特定語句情報として取込み、特定語句テーブルを作成する。
強調表示手順１８は、第１１図の如く、イメージ情報符号取込手順７で取込まれた符号位置情報と特定語句取込手順１０で取込まれた特定語句情報とを関連付ける。そして、文章情報２中の任意の特定語句４が指定されたとき、特定語句テーブル中から指定された特定語句４と、その特定語句４に該当するたとえばＢなる符号６とを読込み、イメージ情報符号テーブルから該当する符号６が存在するイメージ情報３ｂを検索してそのイメージ情報３ｂをコンピュータの画面上に表示する。同時に、そのイメージ情報３ｂ中のＢなる符号６が記載されている符号領域をイメージ情報符号テーブルから検索し、その符号領域に存在するＢなる符号をコンピュータの画面上で強調表示する（第１２図参照）。指定された特定語句４に該当する符号６が複数のイメージ情報３ｂ、３ｃに存在するときは、とりあえず、いずれか一つのイメージ情報３ｂを画面上に表示し、その状態で、イメージ情報３ｂ中の、符号領域外のエリアでクリックしたとき、Ｂなる符号が存在する別のイメージ情報３ｃをコンピュータの画面上に表示するとともに、イメージ情報３ｃ中のＢなる符号の符号領域を検索し、Ｂなる符号をコンピュータの画面上で強調表示する。
なお、強調表示手順１８は、文章情報２中の特定語句４が指定されたとき、指定された文章情報２中の特定語句４とイメージ情報中の符号６とを同時に強調表示するようにしてもよい（第１３図参照）。
強調表示手順１８は更に、イメージ情報３ｂ中の任意の符号６（たとえばＢ）が指定されたとき、イメージ情報符号テーブルの中から指定された符号６の符号領域を検索し、その符号６に基き、特定語句テーブル中の該当する特定語句４を検索して、文章情報２中の該当する特定語句４をコンピュータの画面上で強調表示する（第１４図参照）。
なお、強調表示手順１８は、イメージ情報３ｂ中の符号６が指定されたとき、指定されたイメージ情報３ｂ中の符号６と文章情報２中の特定語句４とを同時に強調表示するようにしてもよい（第１５図参照）。
第１６図は第３の発明における電子化文書の編集プログラムを示す概略構成図である。この編集プログラムは、イメージ情報符号取込手順７と、特定語句取込手順１０と、強調表示手順２８とを、コンピュータの制御部（ＣＰＵ）２９に実行させる。
イメージ情報符号取込手順７は第１および第２の発明と同様（第３図参照）で、ＯＣＲ認識により、イメージ情報３ａ、３ｂ、３ｃ中に存在する複数種類の符号６と、各符号６が記載されている符号領域とを符号位置情報として取込み、イメージ情報符号テーブルを作成する。一つのイメージ情報中に同一の符号６が複数存在するときは、それぞれの符号６の符号領域を符号位置情報として取込む。
特定語句取込手順１０は第２の発明と同様（第１０図参照）で、文章情報２中の符号６と特定語句４とを特定語句情報として取込み、特定語句テーブルを作成する。
強調表示手順１８は、第１７図の如く、イメージ情報符号取込手順７で取込まれた符号位置情報と特定語句取込手順１０で取込まれた特定語句情報とを関連付けるとともに、符号６と特定語句４との対応関係を示す表３０をコンピュータの画面上に表示する。そして、表３０中の任意の符号６または特定語句４が指定されたとき、それと対応するイメージ情報３ｂ中の符号６と文章情報２中の特定語句４および符号６とをコンピュータの画面上で強調表示する（第１８図、第１９図参照）。
【産業上の利用可能性】    以上述べたように、第１の発明に係る電子化文書の編集プログラムは、イメージ情報符号取込手順と強調表示手順とをコンピュータに実行させるものであり、文章情報中の符号およびイメージ情報中の符号のいずれか一方が指定されたとき、それら一方および他方のうち少なくとも他方が画面上で強調表示される。
そこで、文章情報２中の任意の符号６を指定してイメージ情報３ａ、３ｂ、３ｃ中の同一符号６を画面上で強調表示させることにより、またはイメージ情報３ａ、３ｂ、３ｃ中の任意の符号６を指定して文章情報２中の同一の符号６を画面上で強調表示させることにより、強調表示された符号６を辿って文章情報２中の特定語句４とイメージ情報３ａ、３ｂ、３ｃ中の特定箇所５とを直ちに対応付けることができる。
また第２の発明に係る電子化文書の編集プログラムは、イメージ情報符号取込手順と、特定語句取込手順と、強調表示手順とを、コンピュータに実行させるものであり、文章情報中の特定語句およびイメージ情報中の符号のいずれか一方が指定されたとき、それら一方および他方のうち少なくとも他方が画面上で強調表示される。
そこで、文章情報２中の任意の特定語句４を指定してイメージ情報３ａ、３ｂ、３ｃ中の対応する符号６を画面上で強調表示させることにより、またはイメージ情報３ａ、３ｂ、３ｃ中の任意の符号６を指定して文章情報２中の対応する特定語句４を画面上で強調表示させることにより、強調表示された符号６または特定語句４を辿って文章情報２中の特定語句４とイメージ情報３ａ、３ｂ、３ｃ中の特定箇所５とを直ちに対応付けることができる。
さらに第３の発明に係る電子化文書の編集プログラムは、イメージ情報符号取込手順と、特定語句取込手順と、強調表示手順とを、コンピュータに実行させるものであり、強調表示手順で作成された表中の任意の符号または特定語句が指定されたとき、それと関連するイメージ情報中の符号および文章情報中の特定語句が画面上で強調表示される。
そこで、文章情報２中の任意の特定語句４を指定してイメージ情報３ａ、３ｂ、３ｃ中の対応する符号６と、文章情報２中の対応する特定語句４とを画面上で強調表示させることにより、文章情報２中の特定語句４とイメージ情報３ａ、３ｂ、３ｃ中の特定箇所５とを直ちに対応付けることができる。
以上のように、これらの発明によれば、イメージ情報３ａ、３ｂ、３ｃが複雑な図面や写真であったり、イメージ情報３ａ、３ｂ、３ｃ中にたくさんの引出線や符号が付されている電子化文書であっても、文章情報とイメージ情報とをコンピュータの画面上で対応付けし易い形に編集することができ、電子化文書を理解するためにイメージ情報をいったん紙情報にするといった無駄を省くこともできるので、本発明は、すこぶる高い産業上の利用可能性を有している。
【図１】
2004061715.tif 000003
【図２】
2004061715.tif 000004
【図３】
2004061715.tif 000005
【図４】
2004061715.tif 000006
【図５】
2004061715.tif 000007
【図６】
2004061715.tif 000008
【図７】
2004061715.tif 000009
【図８】
2004061715.tif 000010
【図９】
2004061715.tif 000011
【図１０】
2004061715.tif 000012
【図１１】
2004061715.tif 000013
【図１２】
2004061715.tif 000014
【図１３】
2004061715.tif 000015
【図１４】
2004061715.tif 000016
【図１５】
2004061715.tif 000017
【図１６】
2004061715.tif 000018
【図１７】
2004061715.tif 000019
【図１８】
2004061715.tif 000020
【図１９】
2004061715.tif 000021
【手続補正書】
【提出日】平成15年7月28日(2003.7.28)
【手続補正００１】
【補正対象書類名】特許請求の範囲
【補正対象項目名】全文
【補正方法】変更
【補正の内容】
【特許請求の範囲】
【請求項１】
互いに補完し合う少なくとも一つのイメージ情報（３ａ，３ｂ，３ｃ）と文章情報（２）とを有し、イメージ情報（３ａ，３ｂ，３ｃ）中の複数種類の特定箇所（５）および文章情報（２）中の複数種類の特定語句（４）に相互を対応付けるための共通の符号（６）を付した電子化文書（１）を編集する編集プログラムであって、イメージ情報（３ａ，３ｂ，３ｃ）中の複数種類の符号（６）および各符号が表示された符号領域を符号位置情報として取込むイメージ情報符号取込手順（７）と、符号位置情報と文章情報（２）中の符号（６）とを共通の符号に基づいて関連付け、イメージ情報（３ａ，３ｂ，３ｃ）および文章情報（２）のいずれか一方の符号（６）が指定されたとき、それら一方および他方の符号（６）のうち少なくとも他方の符号（６）を読込んでコンピュータの画面上で強調表示させる強調表示手順（８）とを、コンピュータに実行させることを特徴とする電子化文書の編集プログラム。
【請求項２】
コンピュータの画面上に表示された文章情報（２）を音声出力装置により出力し、文章情報（２）中の符号（６）を音声で指定することを特徴とする請求の範囲１に記載の電子化文書の編集プログラム。
【請求項３】
互いに補完し合う少なくとも一つのイメージ情報（３ａ，３ｂ，３ｃ）と文章情報（２）とを有し、イメージ情報（３ａ，３ｂ，３ｃ）中の複数種類の特定箇所（５）および文章情報（２）中の複数種類の特定語句（４）に相互を対応付けるための共通の符号（６）を付した電子化文書（１）を編集する編集プログラムであって、イメージ情報（３ａ，３ｂ，３ｃ）中の符号（６）および各符号が表示された符号領域を符号位置情報として取込むイメージ情報符号取込手順（７）と、文章情報（２）中の特定語句（４）を特定語句情報として取込む特定語句取込手順（９）と、イメージ情報符号取込手順（７）で取込まれた符号位置情報と特定語句取込手順（９）で取込まれた特定語句情報とを共通の符号に基づいて関連付け、イメージ情報（３ａ，３ｂ，３ｃ）中の符号（６）および文章情報（２）中の特定語句（４）のいずれか一方が指定されたとき、それら一方および他方のうち少なくとも他方を読込んでコンピュータの画面上で強調表示させる強調表示手順（１８）とを、コンピュータに実行させることを特徴とする電子化文書の編集プログラム。
【請求項４】
コンピュータの画面上に表示された文章情報（２）を音声出力装置により出力し、文章情報（２）中の特定語句（４）を音声で指定することを特徴とする請求の範囲３に記載の電子化文書の編集プログラム。
【請求項５】
互いに補完し合う少なくとも一つのイメージ情報（３ａ，３ｂ，３ｃ）と文章情報（２）とを有し、イメージ情報（３ａ，３ｂ，３ｃ）中の複数種類の特定箇所（５）および文章情報（２）中の複数種類の特定語句（４）に相互を対応付けるための共通の符号（６）を付した電子化文書（１）を編集する編集プログラムであって、イメージ情報（３ａ，３ｂ，３ｃ）中の符号（６）および各符号が表示された符号領域を符号位置情報として取込むイメージ情報符号取込手順（７）と、文章情報（２）中の特定語句（４）を特定語句情報として取込む特定語句取込手順（１０）と、符号位置情報と特定語句情報とを符号の共通性に基づいて関連付けるとともに、符号（６）と特定語句（４）との対応関係を示す表（３０）をコンピュータの画面上で表示し、表（３０）中の符号（６）および特定語句（４）のいずれか一方が指定されたとき、それと対応するイメージ情報（３ａ，３ｂ，３ｃ）中の符号（６）と文章情報（２）中の符号（６）および特定語句（４）とを読込んでコンピュータの画面上で強調表示させる強調表示手順（２８）とを、コンピュータに実行させることを特徴とする電子化文書の編集プログラム。
【手続補正００２】
【補正対象書類名】明細書
【補正対象項目名】０００４
【補正方法】変更
【補正の内容】
【０００４】
第１の発明では、イメージ情報符号取込手順と強調表示手順とをコンピュータに実行させる。
イメージ情報符号取込手順では、イメージ情報中の符号の位置を示す符号領域を符号位置情報として取込む。
強調表示手順では符号位置情報と文章情報中の符号とを関連付け、イメージ情報および文章情報のいずれか一方の符号が指定されたとき、それら一方および他方の符号のうち少なくとも他方の符号を読込んでコンピュータの画面上で強調表示させる。
また第２の発明では、文章情報中の符号の指定を音声出力によるものとする。
第３の発明では、イメージ情報符号取込手順と、特定語句取込手順と、強調表示手順とを、コンピュータに実行させる。
イメージ情報符号取込手順では、イメージ情報中の符号の位置を示す符号領域を符号位置情報として取込む。
特定語句取込手順では、文章情報中の特定語句を特定語句情報として取込む。
強調表示手順では符号位置情報と特定語句情報とを関連付け、イメージ情報中の符号および文章情報中の特定語句のいずれか一方が指定されたとき、それら一方および他方のうち少なくとも他方を読込んでコンピュータの画面上で強調表示させる。
第４の発明では、文章情報中の特定語句の指定を音声出力によるものとする。
第５の発明では、イメージ情報符号取込手順と、特定語句取込手順と、強調表示手順とを、コンピュータに実行させる。
イメージ情報符号取込手順では、イメージ情報中の符号の位置を示す符号領域を符号位置情報として取込む。
特定語句取込手順では、文章情報中の特定語句を特定語句情報として取込む。
強調表示手順では、符号位置情報と特定語句情報とを関連付けるとともに、符号と特定語句との対応関係を示す表をコンピュータの画面上で表示し、その表中の符号および特定語句のいずれか一方が指定されたとき、それと対応するイメージ情報中の符号と文章情報中の符号および特定語句とを読込んでコンピュータの画面上で強調表示させる。


【手続補正００３】
【補正対象書類名】明細書
【補正対象項目名】０００５
【補正方法】変更
【補正の内容】
【０００５】
図面の簡単な説明
第１図は、本発明の編集対象となる電子化文書の概念図である。
第２図は、第１の実施例における電子化文書の編集プログラムを示す概略構成図である。
第３図は、同編集プログラムのイメージ情報符号取込手順を示す動作説明図である。
第４図は、同編集プログラムの強調表示手順を示す動作説明図である。
第５図は、同編集プログラムにおいて文章情報中の任意の符号を指定したときの表示状態を示す説明図である。
第６図は、同編集プログラムにおいて文章情報中の任意の符号を指定したときの別の表示状態を示す説明図である。
第７図は、同編集プログラムにおいてイメージ情報中の任意の符号を指定したときの表示状態を示す説明図である。
第８図は、同編集プログラムにおいてイメージ情報中の任意の符号を指定したときの別の表示状態を示す説明図である。
第９図は、第２の実施例における電子化文書の編集プログラムを示す概略構成図である。
第１０図は、同編集プログラムの特定語句取込手順を示す動作説明図である。
第１１図は、同編集プログラムの強調表示手順を示す動作説明図である。
第１２図は、同編集プログラムにおいて文章情報中の任意の特定語句を指定したときの表示状態を示す説明図である。
第１３図は、同編集プログラムにおいて文章情報中の任意の特定語句を指定したときの別の表示状態を示す説明図である。
第１４図は、同編集プログラムにおいてイメージ情報中の任意の符号を指定したときの表示状態を示す説明図である。
第１５図は、同編集プログラムにおいてイメージ情報中の任意の符号を指定したときの別の表示状態を示す説明図である。


【手続補正００４】
【補正対象書類名】明細書
【補正対象項目名】０００６
【補正方法】変更
【補正の内容】
【０００６】
第１６図は、第３の実施例における電子化文書の編集プログラムを示す概略構成図である。
第１７図は、同編集プログラムの強調表示手順を示す動作説明図である。
第１８図は、同編集プログラムにおいて表中の任意の符号を指定したときの表示状態を示す説明図である。
第１９図は、同編集プログラムにおいて表中の任意の特定語句を指定したときの表示状態を示す説明図である。
発明を実施するための最良の形態
本発明をより詳細に説述するために、添付の図面に従ってこれを説明する。第１図は本発明の編集プログラムの編集対象となる電子化文書１を概念的に示すものである。電子化文書１は、互いに補完し合う文章情報２と少なくとも一つ（第１図の例では３つ）のイメージ情報３ａ、３ｂ、３ｃとを備えている。例えば電子化文書１を電子化された特許公報とすると、文章情報２は明細書に相当し、イメージ情報３ａ、３ｂ、３ｃは図面に相当する。文章情報２中の一部の語句（以下、「特定語句４」という）およびイメージ情報３ａ、３ｂ、３ｃ中の一部の箇所（以下、「特定箇所５」という）には、相互を対応付けるための共通の符号６が付されている。第１図中「○○○」、「×××」、「△△△」は、文章情報２が日本語であれば漢字、ひらがな、カタカナ等となり、英語であればアルファベットとなる。
文章情報２中の特定語句４もイメージ情報３ａ、３ｂ、３ｃ中の特定箇所５もそれぞれ複数種類あり、符号６としては「Ａ、Ｂ、Ｃ」、「１、２、３」等の文字や数字、あるいは記号等が用いられる。
第２図は第１の実施例における電子化文書の編集プログラムを示す概略構成図である。この編集プログラムは、イメージ情報符号取込手順７と強調表示手順８とを、コンピュータの制御部（ＣＰＵ）９に実行させる構成となっている。
イメージ情報符号取込手順７は、第３図の如く、ＯＣＲ認識により、イメージ情報３ａ、３ｂ、３ｃ中に存在する複数種類（Ａ、Ｂ、Ｃ等）の符号


【手続補正００５】
【補正対象書類名】明細書
【補正対象項目名】０００８
【補正方法】変更
【補正の内容】
【０００８】
ックする等、手動で指定しても良いし、音声出力装置を用いて文章情報２中の符号６を音声で読み上げる等、自動的な方法で指定しても良い。
また符号６を強調表示する方法としては、該当する符号６を点滅させたり、該当する符号６のみを他と異なる色で表示したり、反転表示したり、拡大表示したり、丸で囲む等、視角に訴えて目立たせることができれば、どのような方法であってもよい。
第９図は第２の実施例における電子化文書の編集プログラムを示す概略構成図である。この編集プログラムは、イメージ情報符号取込手順７と、特定語句取込手順１０と、強調表示手順１８とを、コンピュータの制御部（ＣＰＵ）１９に実行させる。
イメージ情報符号取込手順７は第１の発明と同様（第３図参照）で、ＯＣＲ認識により、イメージ情報３ａ、３ｂ、３ｃ中に存在する複数種類の符号６と、各符号６が記載されている符号領域とを符号位置情報として取込み、イメージ情報符号テーブルを作成する。一つのイメージ情報中に同一の符号６が複数存在するときは、それぞれの符号６の符号領域を符号位置情報として取込む。
特定語句取込手順１０は、第１０図の如く、文章情報２中の符号６と特定語句４とを特定語句情報として取込み、特定語句テーブルを作成する。
強調表示手順１８は、第１１図の如く、イメージ情報符号取込手順７で取込まれた符号位置情報と特定語句取込手順１０で取込まれた特定語句情報とを関連付ける。そして、文章情報２中の任意の特定語句４が指定されたとき、特定語句テーブル中から指定された特定語句４と、その特定語句４に該当するたとえばＢなる符号６とを読込み、イメージ情報符号テーブルから該当する符号６が存在するイメージ情報３ｂを検索してそのイメージ情報３ｂをコンピュータの画面上に表示する。同時に、そのイメージ情報３ｂ中のＢなる符号６が記載されている符号領域をイメージ情報符号テーブルから検索し、その符号領域に存在するＢなる符号をコンピュータの画面上で強調表示する（第１２図参照）。指定された特定語句４に該当する符号６が複数のイメージ情報３ｂ、３ｃに存在するときは、とりあえず、いずれか一つのイメ


【手続補正００６】
【補正対象書類名】明細書
【補正対象項目名】０００９
【補正方法】変更
【補正の内容】
【０００９】
ージ情報３ｂを画面上に表示し、その状態で、イメージ情報３ｂ中の、符号領域外のエリアでクリックしたとき、Ｂなる符号が存在する別のイメージ情報３ｃをコンピュータの画面上に表示するとともに、イメージ情報３ｃ中のＢなる符号の符号領域を検索し、Ｂなる符号をコンピュータの画面上で強調表示する。
なお、強調表示手順１８は、文章情報２中の特定語句４が指定されたとき、指定された文章情報２中の特定語句４とイメージ情報中の符号６とを同時に強調表示するようにしてもよい（第１３図参照）。
強調表示手順１８は更に、イメージ情報３ｂ中の任意の符号６（たとえばＢ）が指定されたとき、イメージ情報符号テーブルの中から指定された符号６の符号領域を検索し、その符号６に基き、特定語句テーブル中の該当する特定語句４を検索して、文章情報２中の該当する特定語句４をコンピュータの画面上で強調表示する（第１４図参照）。
なお、強調表示手順１８は、イメージ情報３ｂ中の符号６が指定されたとき、指定されたイメージ情報３ｂ中の符号６と文章情報２中の特定語句４とを同時に強調表示するようにしてもよい（第１５図参照）。
第１６図は第３の実施例における電子化文書の編集プログラムを示す概略構成図である。この編集プログラムは、イメージ情報符号取込手順７と、特定語句取込手順１０と、強調表示手順２８とを、コンピュータの制御部（ＣＰＵ）２９に実行させる。
イメージ情報符号取込手順７は第１および第２の実施例と同様（第３図参照）で、ＯＣＲ認識により、イメージ情報３ａ、３ｂ、３ｃ中に存在する複数種類の符号６と、各符号６が記載されている符号領域とを符号位置情報として取込み、イメージ情報符号テーブルを作成する。一つのイメージ情報中に同一の符号６が複数存在するときは、それぞれの符号６の符号領域を符号位置情報として取込む。
特定語句取込手順１０は第２の実施例と同様（第１０図参照）で、文章情報２中の符号６と特定語句４とを特定語句情報として取込み、特定語句テーブルを作成する。


【手続補正００７】
【補正対象書類名】明細書
【補正対象項目名】００１０
【補正方法】変更
【補正の内容】
【００１０】
強調表示手順１８は、第１７図の如く、イメージ情報符号取込手順７で取込まれた符号位置情報と特定語句取込手順１０で取込まれた特定語句情報とを関連付けるとともに、符号６と特定語句４との対応関係を示す表３０をコンピュータの画面上に表示する。そして、表３０中の任意の符号６または特定語句４が指定されたとき、それと対応するイメージ情報３ｂ中の符号６と文章情報２中の特定語句４および符号６とをコンピュータの画面上で強調表示する（第１８図、第１９図参照）。
産業上の利用可能性
以上述べたように、第１の発明に係る電子化文書の編集プログラムは、イメージ情報符号取込手順と強調表示手順とをコンピュータに実行させるものであり、文章情報中の符号およびイメージ情報中の符号のいずれか一方が指定されたとき、それら一方および他方のうち少なくとも他方が画面上で強調表示される。
そこで、文章情報２中の任意の符号６を指定してイメージ情報３ａ、３ｂ、３ｃ中の同一符号６を画面上で強調表示させることにより、またはイメージ情報３ａ、３ｂ、３ｃ中の任意の符号６を指定して文章情報２中の同一の符号６を画面上で強調表示させることにより、強調表示された符号６を辿って文章情報２中の特定語句４とイメージ情報３ａ、３ｂ、３ｃ中の特定箇所５とを直ちに対応付けることができる。
また第２の発明は文章情報中の符号を音声出力により指定するものであり、操作者は音声を聞きながら、イメージ情報のみ見て情報の理解に努めることができる。
第３の発明に係る電子化文書の編集プログラムは、イメージ情報符号取込手順と、特定語句取込手順と、強調表示手順とを、コンピュータに実行させるものであり、文章情報中の特定語句およびイメージ情報中の符号のいずれか一方が指定されたとき、それら一方および他方のうち少なくとも他方が画面上で強調表示される。
そこで、文章情報２中の任意の特定語句４を指定してイメージ情報３ａ、３ｂ、３ｃ中の対応する符号６を画面上で強調表示させることにより、またはイメージ情報３ａ、３ｂ、３ｃ中の任意の符号６を指定して文章情報２中の対応する特定語句４を画面上で強調表示させることにより、強調表示され


【手続補正００８】
【補正対象書類名】明細書
【補正対象項目名】００１１
【補正方法】変更
【補正の内容】
【００１１】
た符号６または特定語句４を辿って文章情報２中の特定語句４とイメージ情報３ａ、３ｂ、３ｃ中の特定箇所５とを直ちに対応付けることができる。
第４の発明も文章情報中の特定語句を音声出力により指定するものであり、操作者は音声を聞きながら、イメージ情報のみ見て情報の理解に努めることができる。
第５の発明に係る電子化文書の編集プログラムは、イメージ情報符号取込手順と、特定語句取込手順と、強調表示手順とを、コンピュータに実行させるものであり、強調表示手順で作成された表中の任意の符号または特定語句が指定されたとき、それと関連するイメージ情報中の符号および文章情報中の特定語句が画面上で強調表示される。
そこで、文章情報２中の任意の特定語句４を指定してイメージ情報３ａ、３ｂ、３ｃ中の対応する符号６と、文章情報２中の対応する特定語句４とを画面上で強調表示させることにより、文章情報２中の特定語句４とイメージ情報３ａ、３ｂ、３ｃ中の特定箇所５とを直ちに対応付けることができる。
以上のように、これらの発明によれば、イメージ情報３ａ、３ｂ、３ｃが複雑な図面や写真であったり、イメージ情報３ａ、３ｂ、３ｃ中にたくさんの引出線や符号が付されている電子化文書であっても、文章情報とイメージ情報とをコンピュータの画面上で対応付けし易い形に編集することができ、電子化文書を理解するためにイメージ情報をいったん紙情報にするといった無駄を省くこともできるので、本発明は、すこぶる高い産業上の利用可能性を有している。




【国際調査報告】
2004061715.tif 000022
2004061715.tif 000023
2004061715.tif 000024
2004061715.tif 000025